(57)【要約】【課題】波面収差の補正を行う目的で液晶素子を備える光ディスク装置について、装置内に液晶素子の周囲温度を専用に測定する温度センサを別途設けることなく、温度変化による液晶素子の特性変動の影響を適正に補正できる光ディスク装置を提供する。【解決手段】本発明の光ディスク装置の液晶素子制御部９は、再生信号を最適とする場合の液晶素子に印加する駆動電圧と液晶素子の周囲温度との関係に関する第１の情報と、液晶素子の応答時間特性と温度との関係に関する第２の情報と、を記憶するメモリ２９と、所定のタイミングで液晶素子の応答時間を測定し、得られた応答時間と第１及び第２の情報から温度変動の影響を補正した液晶素子に印加する駆動電圧を取得する駆動電圧取得手段３０と、駆動電圧取得手段３０で得られた駆動電圧で液晶素子を駆動する液晶素子駆動回路３１と、を備える。【選択図】図５
2007234157.tif 000002
【特許請求の範囲】
【請求項１】
光源と、光ビームを受光して該光ビームが有する光情報を電気信号へと変換する光検出手段と、前記光源から出射された光ビームを光記録媒体の記録面に集光し、前記記録面で反射された反射光を前記光検出手段へと導く光学系と、前記光学系中に配置されて波面収差の補正を行う液晶素子と、を有する光ピックアップと、
前記液晶素子に電圧を印加して前記液晶素子を駆動する液晶素子駆動回路と、を備える光ディスク装置において、
前記光検出手段で変換された前記電気信号を処理して得られる再生信号が最適となる場合の前記液晶素子を駆動する駆動電圧と前記液晶素子の周囲温度との関係に関する第１の情報と、装置内に設けられる部材のうちで、或る特性が温度依存性を有する温度依存性部材についての前記特性又は前記特性を制御する制御値と温度との関係に関する第２の情報と、を予め記憶する記憶手段と、
所定のタイミングで前記温度依存性部材の前記特性又は前記制御値を取得して、得られた特性値又は制御値と前記第２の情報とから前記液晶素子の周囲の実温度を取得し、前記実温度と前記第１の情報とを用いて、前記液晶素子駆動回路に伝達する前記駆動電圧を取得する駆動電圧取得手段と、を備えることを特徴とする光ディスク装置。
【請求項２】
前記温度依存性部材は、前記光ピックアップが有する部材であることを特徴とする請求項１に記載の光ディスク装置。
【請求項３】
前記温度依存性部材は前記液晶素子であって、
前記第２の情報は、前記液晶素子に所定の駆動電圧を印加後、前記光検出手段で変換された前記電気信号から得られる所定の信号値が略一定となるまでの時間である応答時間と前記液晶素子の周囲温度との関係に関する情報であって、
前記駆動電圧取得手段は、前記液晶素子に前記所定の駆動電圧を印加して前記応答時間を測定し、取得した前記応答時間と前記第２の情報とを用いて前記液晶素子の周囲の実温度を取得することを特徴とする請求項２に記載の光ディスク装置。
【請求項４】
前記温度依存性部材は前記光源となる半導体レーザであって、
前記第２の情報は、前記半導体レーザが所定の光出力となる場合の駆動電流と温度とに関する情報であって、
前記駆動電圧取得手段は、前記所定のタイミングで前記駆動電流を取得して、取得した前記駆動電流と前記第２の情報とを用いて前記液晶素子の周囲の実温度を取得することを特徴とする請求項２に記載の光ディスク装置。
【発明の詳細な説明】
【技術分野】
【０００１】
本発明は、光記録媒体の情報の記録再生に用いられる光ディスク装置に関し、特に液晶素子を搭載する光ディスク装置の記録再生品質を安定させる技術に関する。
【背景技術】
【０００２】
コンパクトディスク（以下、ＣＤという。）やデジタル多用途ディスク（以下、ＤＶＤという。）といった光記録媒体が普及している。更に、近年、光記録媒体の情報量を増やすために、光記録媒体の高密度化に関する研究が進められ、例えば、高品位のＤＶＤであるＨＤ−ＤＶＤやブルーレイディスク（以下、ＢＤという。）といった高密度化された光記録媒体も実用化されつつある。このため、最近では複数種類の光記録媒体について情報の記録再生が可能な光ディスク装置の開発が盛んに行われている。
【０００３】
ところで、光記録媒体の種類が異なると、光記録媒体の記録面を保護する保護層の厚さが異なる場合がある。例えば、ＣＤ、ＤＶＤ、ＢＤの保護層の厚みは、順に１．２ｍｍ、０．６ｍｍ、０．１ｍｍと異なる。そして、複数種類の光記録媒体に対応する光ディスク装置においては、光記録媒体によって保護層の厚みが違うことによって生じる球面収差のために、情報の記録再生の品質が劣化する問題がある。このため、従来、光ディスク装置が備える光ピックアップの光学系中に液晶素子を配置して、液晶素子に印加する電圧を制御することで液晶素子を通過する光ビームの位相を制御して球面収差の補正を行う光ディスク装置が提案されている。
【０００４】
また、光ピックアップの光学系中に液晶素子を配置する目的は、上述の球面収差の補正を目的とするものに限られず、例えば特許文献１に紹介されているように、光源から出射される光ビームの光軸が光記録媒体の記録面に対して傾いた時に生じるコマ収差を液晶素子に与える駆動電圧を制御して補正を行うといった目的のものもある。
【０００５】
このように、球面収差やコマ収差等の波面収差の補正を行う目的で光ディスク装置に用いられる液晶素子は、温度変化に対して、その特性が変化することが知られている。このため、液晶素子の温度変化に対する特性変動に対する補正を考慮しない場合、液晶素子による球面収差やコマ収差といった波面収差の補正が十分に行われず、光ディスク装置による情報の記録再生品質が劣化するという問題がある。
【０００６】
この点、例えば特許文献１や特許文献２においては、液晶素子を備える光ディスク装置において、温度変化に対する液晶素子の特性変動の影響を受けないように、サーミスタ等の温度センサを光ディスク装置の中に配置し、この温度センサによって得られる液晶素子の周囲温度と、予め光ディスク装置が備えるメモリ等に格納されている液晶の位相特性や応答特性等の温度変動に対するデータと、を用いて、液晶素子を駆動する電圧を制御する技術が紹介されている。
【０００７】
しかしながら、特許文献１や特許文献２に紹介される構成の光ディスク装置においては、温度変化に対応して液晶素子に印加する電圧を制御するにあたって、液晶素子の周囲温度を専用に測定する温度センサを装置内に別途設ける構成としているために、光ディスク装置を製造するにあたって、部品点数が増加して装置の構成が複雑となったり、製造コストが上昇したりする等の問題が発生する。
【特許文献１】特開２０００−２９８８６２号公報
【特許文献２】特開２０００−４０２４９号公報
【発明の開示】
【発明が解決しようとする課題】
【０００８】
以上の点を鑑みて、本発明の目的は、波面収差の補正を行う目的で液晶素子を備える光ディスク装置について、装置内に液晶素子の周囲温度を専用に測定する温度センサを別途設けることなく、温度変化による液晶素子の特性変動の影響を適正に補正できる光ディスク装置を提供することである。
【課題を解決するための手段】
【０００９】
上記目的を達成するために本発明は、光源と、光ビームを受光して該光ビームが有する光情報を電気信号へと変換する光検出手段と、前記光源から出射された光ビームを光記録媒体の記録面に集光し、前記記録面で反射された反射光を前記光検出手段へと導く光学系と、前記光学系中に配置されて波面収差の補正を行う液晶素子と、を有する光ピックアップと、前記液晶素子に電圧を印加して前記液晶素子を駆動する液晶素子駆動回路と、を備える光ディスク装置において、前記光検出手段で変換された前記電気信号を処理して得られる再生信号が最適となる場合の前記液晶素子を駆動する駆動電圧と前記液晶素子の周囲温度との関係に関する第１の情報と、装置内に設けられる部材のうちで、或る特性が温度依存性を有する温度依存性部材についての前記特性又は前記特性を制御する制御値と温度との関係に関する第２の情報と、を予め記憶する記憶手段と、所定のタイミングで前記温度依存性部材の前記特性又は前記制御値を取得して、得られた特性値又は制御値と前記第２の情報とから前記液晶素子の周囲の実温度を取得し、前記実温度と前記第１の情報とを用いて、前記液晶素子駆動回路に伝達する前記駆動電圧を取得する駆動電圧取得手段と、を備えることを特徴としている。
【００１０】
また、本発明は、上記構成の光ディスク装置において、前記温度依存性部材は、前記光ピックアップが有する部材であることを特徴としている。
【００１１】
また、本発明は、上記構成の光ディスク装置において、前記温度依存性部材は前記液晶素子であって、前記第２の情報は、前記液晶素子に所定の駆動電圧を印加後、前記光検出手段で変換された前記電気信号から得られる所定の信号値が略一定となるまでの時間である応答時間と前記液晶素子の周囲温度との関係に関する情報であって、前記駆動電圧取得手段は、前記液晶素子に前記所定の駆動電圧を印加して前記応答時間を測定し、取得した前記応答時間と前記第２の情報とを用いて前記液晶素子の周囲の実温度を取得することを特徴としている。
【００１２】
また、本発明は、上記構成の光ディスク装置において、前記温度依存性部材は前記光源となる半導体レーザであって、前記第２の情報は、前記半導体レーザが所定の光出力となる場合の駆動電流と温度とに関する情報であって、前記駆動電圧取得手段は、前記所定のタイミングで前記駆動電流を取得して、取得した前記駆動電流と前記第２の情報とを用いて前記液晶素子の周囲の実温度を取得することを特徴としている。
【発明の効果】
【００１３】
本発明の第１の構成によれば、サーミスタ等の温度センサを別途設けることなく、液晶素子に印加する駆動電圧の温度変動に対する補正を適切に行うことが可能となる。これにより、温度変化によらず光記録媒体の記録面に良好なスポットを形成できる光ディスク装置を安価に製造でき、また、装置自体の構成を簡易なものとすることができる。
【００１４】
また、本発明の第２の構成によれば、上記第１の構成の光ディスク装置において、液晶素子の周囲の実温度を得るために用いられる温度依存性部材は、光ピックアップが有する部材であるために、液晶素子と温度依存性部材との位置関係が遠く離れることがなく、液晶素子周囲の温度変化に対する液晶素子に印加する駆動電圧の補正を適切に行うことができる。
【００１５】
また、本発明の第３の構成によれば、上記第２の構成の光ディスク装置において、温度変化による影響を受ける液晶素子自身を用いて、液晶素子に印加する駆動電圧の制御を行う構成であるために、温度変化に対する液晶素子に印加する駆動電圧の補正がより適切に行える。
【００１６】
また、本発明の第４の構成によれば、上記第２の構成の光ディスク装置において、従来温度依存性を有する半導体レーザの光出力は、フロントモニタ用の受光素子を用いて周囲の温度変動によらず一定となるように制御される構成が採用されているために、半導体レーザを駆動するための駆動電流と温度との関係を利用して、別途温度センサを設けることなく液晶素子の周囲の実温度を得ることが可能な構成を容易に実現できる。
【発明を実施するための最良の形態】
【００１７】
以下に本発明の内容を詳細に説明するが、ここで示す実施形態は一例であり、本発明はここに示す実施形態に限定されるものではない。
【００１８】
図１は、第１実施形態の光ディスク装置の構成を示すブロック図である。光ディスク装置１は、光記録媒体１２の情報の再生、及び光記録媒体１２への情報の記録を行うことができる。２は、スピンドルモータであり、光記録媒体１２は、このスピンドルモータ２の上部に設けられるチャック部（図示せず）に着脱可能に保持される。そして、光記録媒体１２の情報の記録再生を行う際に、スピンドルモータ２は光記録媒体１２を連続回転する。スピンドルモータ２の回転制御は、スピンドルモータ制御部４によって行われる。
【００１９】
３は、光ピックアップであり、光源から出射される光ビームを光記録媒体１２に照射し、光記録媒体１２への情報の書き込みと、光記録媒体１２に記録されている情報の読み取りを可能とする。図２は、光ピックアップ３の光学系を示す概略図である。図２に示すように、光ピックアップ３においては、光源１３、１４を出射した光ビームは色合成プリズム１５で光軸を同一とされ、コリメートレンズ１６で平行光となり、ビームスプリッタ１７を透過し、立ち上げミラー１８で反射されてその光軸が光記録媒体１２の記録面１２ａと略垂直とされ、液晶素子１９を通過して対物レンズ２０によって光記録媒体の情報が記録される記録面１２ａに集光される。
【００２０】
光記録媒体１２で反射された反射光は、対物レンズ２０、液晶素子１９の順に通過し、立ち上げミラー１８で反射された後、更にビームスプリッタ１７で反射されて集光レンズ２１によって光検出器２２の受光部（図示せず）に集光される。光検出器２２は受光した光ビームが有する光情報を電気信号に変換する。なお、本実施形態における光源１３は、ＣＤ及びＤＶＤ用の光ビームを出射する２波長一体型のレーザダイオードであり、光源１４はＢＤ用の光ビームを出射するレーザダイオードである。このため、光ディスク装置１は、ＣＤ、ＤＶＤ、及びＢＤの記録再生が可能となっている。
【００２１】
光ピックアップ３は３種類の異なる光記録媒体１２に対応可能となっているが、前述のように、これら種類の異なる光記録媒体１２はその保護層の厚みが異なり、本実施形態のように１つの対物レンズ２０のみを備える光ピックアップ３では、球面収差が問題となる。このため、球面収差を補正するために液晶素子１９が配置されている。
【００２２】
図３は、光ピックアップ３が備える液晶素子１９の構成を説明するための図で、図３（ａ）は、液晶素子１９の構成を示した概略断面図で、図３（ｂ）は、図３（ａ）の液晶素子１９を上面から見た場合の平面図である。図３に示すように、液晶素子１９は、液晶２３と、液晶２３を挟む２枚の透明電極２４ａ、２４ｂと、液晶２３と透明電極２４ａ、２４ｂで形成される部分２５を挟む２枚のガラス板２６と、を備えている。
【００２３】
図３（ｂ）に示すように、液晶素子１９を構成する透明電極２４ａは同心円状の複数の領域２８ａ〜２８ｆに分割されている。一方、透明電極２４ａに対向する透明電極２４ｂは分割されることなく、全体で一つの共通電極となっている。なお、透明電極２４ｂも透明電極２４ａと同一の同心円状の複数の領域としても構わない。このように透明電極２４ａ、２４ｂを構成することにより、液晶素子１９を通過する光ビームに対して、所望の位相差を発生することが可能となり、各種の光記録媒体１２の情報の再生等を行う際に発生する球面収差を適切に補正することが可能となる。なお、透明電極２４ａ、２４ｂは、配線２７によって後述する液晶素子制御部９に備えられる液晶素子駆動回路と電気的に接続されており、この液晶素子制御部９により透明電極２４ａ、２４ｂへ印加する駆動電圧がコントロールされる。
【００２４】
このように構成される液晶素子１９の作用について説明する。図４は、ある光記録媒体１２を再生等する場合に発生する球面収差（図の実線）と、それを補正するために液晶素子１９に発生させる位相差（図の破線）のパターンについて示したグラフである。なお、液晶素子１９に発生させる位相差パターンについては、球面収差を打ち消す必要があるため、図４に示す位相差のパターンと逆位相となるパターンを発生させる必要があるが、図４では便宜的に逆位相のパターンとはしていない。また、図４において、横軸は、同心円状に分割される透明電極２４ａの中心Ｏからの距離で、横軸の下に示す数字は、透明電極２４ａの各領域番号（図３（ｂ）参照）が対応する。
【００２５】
透明電極２４ａ、２４ｂに電圧を印加して、図４に示す位相差（図の破線）パターンと逆位相となる位相差パターンを各領域２８ａ〜２８ｆに発生させると、収差が光記録媒体１２の再生等にとって問題とならないレベルまで補正され、適切な再生信号が得られる。なお、光記録媒体１２の種類によって球面収差の発生量は異なるため、光記録媒体１２の種類によって液晶素子１９に発生させる位相差は異なり、透明電極２４ａ、２４ｂに印加する電圧値も異なってくる。
【００２６】
図１に戻って、光ディスク装置１には、レーザ制御部５と、サーボ制御部６と、記録制御部７と、再生制御部８と、液晶素子制御部９と、が備えられている。なお、これらの制御部５〜９と上述したスピンドルモータ制御部４とは、システム全体を制御するシステム制御部１０と接続されている。以下に、各制御部５〜９について説明する。
【００２７】
レーザ制御部５は、光ピックアップ装置３に備えられる光源１３、１４（図２参照）である半導体レーザから出射されるレーザの出力を制御する。また、レーザ制御部５は、記録制御部７と繋がっており、記録制御部７からの信号によって、その駆動が制御される。記録制御部７については後述する。
【００２８】
サーボ制御部６は、光ピックアップ装置３におけるフォーカシング制御やトラッキング制御等のサーボ制御を行う。サーボ制御部６では、光検出器２２（図２参照）で得られた電気信号に基づいて、フォーカスエラー信号及びトラッキングエラー信号の生成を行い、光ピックアップ３が備える液晶素子１９及び対物レンズ２０（いずれも図２参照）が搭載される図示しないアクチュエータに駆動信号を供給する。駆動信号が供給されたアクチュエータは、信号に基づいて各部を作動させて、対物レンズ２０を光軸と平行な方向に移動してフォーカスを合わせるフォーカシング制御や対物レンズ２０を光記録媒体１２の半径方向に移動して光ビームのスポット位置を光記録媒体１２に形成されるトラック位置に合わせるトラッキング制御を行う。
【００２９】
記録制御部７は、パソコン等の外部装置（図示せず）からインタフェース１１を経由して入力された情報データを図示しない変調回路により変調し、変調したデータ信号をレーザ制御部５に送信する役割を果たす。
【００３０】
再生制御部８は、光ピックアップ３に備えられる光検出器２２が検出した電気信号を用いて、再生信号を生成する。そして、生成された再生信号は、インタフェース１１を経由してパソコン等の外部装置に転送される。
【００３１】
液晶素子制御部９は、光ピックアップ３に備えられる液晶素子１９の透明電極２４ａ、２４ｂに印加する駆動電圧を制御する役割を果たす。上述のように、球面収差は各種の光記録媒体１２で異なるため、各種の光記録媒体１２（ＣＤ、ＤＶＤ、ＢＤ）について、透明電極２４ａ、２４ｂに印加すべき電圧のデータが、液晶素子制御部９に備えられるメモリ（図示せず）に記憶されている。そして、本実施形態の光ディスク装置１においては、液晶素子１９の温度変化に伴う特性変動を補正した駆動電圧が液晶素子１９に印加されるように構成されている。以下、この温度変化に対して液晶素子１９に印加する駆動電圧を補正する構成の詳細を説明する。
【００３２】
図５は、液晶素子制御部９の構成について示したブロック図である。液晶素子制御部９には、メモリ（記憶手段）２９と、駆動電圧取得手段３０と、液晶素子駆動回路３１と、が備えられる。メモリ２９には、各種の光記録媒体１２について、再生信号を最適とする場合の液晶素子１９に印加する駆動電圧と液晶素子１９の周囲温度との関係に関する第１の情報が記憶されている。
【００３３】
この第１の情報は、所定の温度間隔で液晶素子１９の周囲温度を変化させて、各温度について、例えば光検出器２２（図２参照）から得られる電気信号を基に生成されるジッタが最小となる場合の液晶素子１９に印加する駆動電圧を測定し、これを予めテーブル化したものである。本実施形態の場合は、液晶素子１９を形成する透明電極２４ａが同心円状の複数領域２８ａ〜２８ｆ（図３参照）に分割されているために、各領域２８ａ〜２８ｆについて、温度毎に印加する駆動電圧が記憶される。
【００３４】
なお、各種の光記録媒体１２で、ジッタが最小となる場合の液晶素子１９に印加する駆動電圧は異なるため、テーブルは各種の光記録媒体１２それぞれについて作成される。また、本実施形態では、メモリ２９に記憶する第１の情報を得るにあたって、光検出器２２から得られる信号を基に生成されるジッタが最小となる場合を再生信号が最適となる場合の指標として、液晶素子１９に印加する駆動電圧を決定する構成としているが、これに限られる趣旨でなく、光検出器２２で得られる電気信号を処理して得られるＲＦ信号やトラッキングエラー（Ｔｅ）信号の振幅を指標として液晶素子１９に印加する駆動電圧を決定する構成等としても構わない。なお、これらの場合は、ＲＦ信号及びＴｅ信号の振幅が最大となる場合が、再生信号を最適とする場合に該当する。
【００３５】
また、本実施形態では、液晶素子１９の周囲温度と各温度における液晶素子１９に印加する駆動電圧との関係に関する情報として、テーブル化してメモリ２９に記憶する構成としているが、これに限られる趣旨ではなく、例えば、液晶素子１９の周囲温度と駆動電圧との間の関係について、特定の関係式が得られる場合には、その関係式を第１の情報としてメモリ２９に記憶しておく構成等としても構わない。
【００３６】
メモリ２９には、第１の情報とは別に、液晶素子１９の周囲温度と、液晶素子１９に所定の駆動電圧を印加してから、光検出器２２で得られる電気信号から生成されるジッタの値が略一定となるまでの時間である応答時間との関係に関する第２の情報が記憶されている。以下、この第２の情報について、更に説明する。
【００３７】
図６は、液晶素子１９に所定の駆動電圧を印加した場合における、液晶素子１９に発生する位相変化と時間との関係を模式的に示した図で、横軸が時間、縦軸が位相変化率となっている。図６からわかるように、液晶素子１９に所定の駆動電圧を印加してから位相変化が１００％となるまでに一定の時間が必要とされるが、この場合の位相変化が１００％となるまでの時間が液晶素子１９の応答時間である。図７は、液晶素子１９の周囲温度と液晶素子１９の応答時間との関係を示した図であり、液晶素子１９の温度変化に対する特性変動により応答時間も変動することがわかる。
【００３８】
液晶素子１９の応答時間の測定としては種々考えられるが、本実施形態においては、液晶素子１９に所定の駆動電圧を印加してから、光検出器２２で得られる電気信号から生成されるジッタの値が略一定となるまでの時間を応答時間とみなしている。そして、所定の温度間隔で液晶素子１９の周囲温度を変化させて、各温度について応答時間を測定し、この応答時間と液晶素子の周囲温度との関係をテーブル化して第２の情報としている。
【００３９】
なお、第２の情報を作成するにあたっては、本実施形態ではジッタ測定により応答時間を得る構成としているがこれに限定される趣旨ではなく、ＲＦ信号やＴｅ信号の測定等から応答時間を得る構成としても構わない。また、本実施形態では、液晶素子１９の周囲温度と応答時間の関係に関する情報をテーブル化して記憶させる構成としているが、これに限られる趣旨ではなく、例えば、装置温度と応答時間との間の関係について特定の関係式が得られる場合には、その関係式を第２の情報としてメモリ２９に記憶する構成等としても構わない。
【００４０】
駆動電圧取得手段３０は、光検出器２２からの電気信号を受信し、液晶素子駆動回路３１に電気信号を送信するようになっている。また、メモリ２９とも情報の送受信が可能とされている。駆動電圧取得手段３０は、光検出器２２で得られる電気信号から光ディスク装置１のジッタ値を得られるように構成されている。そして、駆動電圧取得手段３０は所定時間毎にジッタ測定を開始し、その際にジッタ値が略一定となるまでの時間である液晶素子９の応答時間を測定して、得られた応答時間とメモリ２９に記憶される第１の情報と第２の情報を用いて、所定時間毎に液晶素子１９に印加すべき駆動電圧を取得するように構成されている。
【００４１】
液晶素子駆動回路３１は、液晶素子１９を構成する透明電極２４ａ、２４ｂ（図３参照）と接続されて液晶素子１９の駆動電圧を制御可能となっている。また液晶素子駆動回路３１は駆動電圧取得手段３０からの情報を受信して、液晶素子１９の温度変化に対する特性変動を考慮した駆動電圧を液晶素子１９に印加できるようになっている。
【００４２】
このように構成される液晶素子制御部９による液晶素子１９の駆動電圧の制御について、図８に示すフローチャートを用いて説明する。光ディスク装置１が起動された直後においては、液晶素子１９に印加する駆動電圧は、予め設定された初期値とされる（ステップＳ１）。その後、駆動電圧取得手段３０は所定の時間が経過した否かの確認を行う（ステップＳ２）。所定の時間が経過している場合には、液晶素子駆動回路３１によって液晶素子１９に印加される駆動電圧が、液晶素子１９に印加する駆動電圧を温度変化に応じた駆動電圧へと補正する作業を行うために、所定の駆動電圧に変更される（ステップＳ３）。一方、所定の時間を経過していない場合には、液晶素子１９の駆動電圧は変更されることはなく、所定の時間が経過するのを待つ。
【００４３】
液晶素子１９に所定の駆動電圧が印加されると、駆動電圧取得手段３０はジッタ測定を開始し、液晶素子１９の応答時間とみなされるジッタの測定値が略一定となる時間を測定する（ステップＳ４）。駆動電圧取得手段３０は、液晶素子１９の応答時間を得ると、得られた応答時間とメモリ２９に記憶される第２の情報とから液晶素子１９の周囲の実温度を求め、更にメモリ２９に記憶される第１の情報からその実温度の場合に、再生信号が最適となる、液晶素子１９に印加すべき駆動電圧を取得する（ステップＳ５）。駆動電圧取得手段３０で得られた駆動電圧に関する情報は液晶素子駆動回路３１に送られて、液晶素子駆動回路３１は、ステップＳ５で得られた駆動電圧値に駆動電圧の設定変更を行う（ステップＳ６）。
【００４４】
その後、液晶素子１９の駆動を続行するか否かが確認され（ステップＳ７）、液晶素子１９の駆動を続行する場合には、更にステップＳ２に戻ってステップＳ２からＳ７が繰り返される。一方、液晶素子１９に駆動を終了する場合には、液晶素子制御部９による液晶素子１９の駆動の制御が終了する。
【００４５】
なお、本実施形態においては、駆動電圧取得手段３０は、所定の時間毎に液晶素子１９に印加すべき駆動電圧の補正を行う構成となっているが、この構成に限定される趣旨ではなく、例えば、起動時、情報の記録再生を行う直前、記録再生品質が所定の基準より低下した場合等の所定のイベント毎に、液晶素子１９に印加すべき駆動電圧の補正を行う構成等としても構わない。
【００４６】
また、本実施形態においては、液晶素子１９の応答時間が温度依存性を有するために、液晶素子１９の応答時間と温度との関係を用いて、液晶素子１９周囲の実温度を得て、得られた実温度を用いて液晶素子１９の駆動電圧を補正する構成としているが、この構成に限定される趣旨ではなく、本発明の目的を逸脱しない範囲で種々の変更が可能である。すなわち、液晶素子１９の代わりに、液晶素子１９の周囲に配置されて、或る特性が温度依存性を有する温度依存性部材を用いる構成としも構わない。このような構成として、例えば半導体レーザから成る光源１３、１４（図２参照）が有する温度依存性の特性を利用して液晶素子１９の周囲の実温度を得る構成等が挙げられる。
【００４７】
なお、この場合、温度依存性部材は、液晶素子１９の周囲の実温度を正確に得られるように、液晶素子１９との位置関係が離れすぎない位置に設けられる部材が好ましく、例えば光ピックアップ３が有する部材であるのが好ましい。
【００４８】
以下、半導体レーザが有する温度依存性の特性を利用して液晶素子１９の周囲の実温度を得る構成を備える光ディスク装置５１を第２実施形態として以下に説明する。なお、第２実施形態の光ディスク装置５１の説明にあたっては、第１実施形態と重複する部分については、同一の符号を付して特に必要がない場合にはその説明を省略する。
【００４９】
図９は、第２実施形態の光ディスク装置５１の構成を示すブロック図である。なお、図９においては、第１実施形態の光ディスク装置１の構成と同様の構成であるスピンドルモータ制御部４、サーボ制御部６、記録制御部７、再生制御部８（いずれも図１参照）を省略している。第１実施形態の光ディスク装置１と異なる点は、液晶素子制御部９に備えられる駆動電圧取得手段３０が光検出器２２（図２参照）ではなく、レーザ制御部５に設けられる図示しないレーザ駆動回路と接続されている点である。そして、これと関連して、メモリ２９に記憶される第２の情報、及び駆動電圧取得手段３０の構成も第１実施形態の光ディスク装置１と異なる。
【００５０】
図１０は、ＢＤ用の光源１４である半導体レーザについて、駆動電流と光出力との関係を温度毎に示した図である。図１０から、半導体レーザの光出力は駆動電流を一定とした場合に、半導体レーザの周囲温度によって変動することがわかる。この点を考慮して、光ディスク装置５１において光記録媒体１２の再生等を行う場合には、所定の光出力（図１０の点線が該当）となるように、図示ないフロントモニタ用の受光素子で光量を検出しながら、半導体レーザを駆動する駆動電流が調整される。
【００５１】
このため、光ディスク装置５１の光源として用いられる半導体レーザについて、所定の光出力となる場合の駆動電流と温度との関係を予め得ておけば、半導体レーザの駆動電流を測定することによって、半導体レーザの周囲温度が得られる。なお、この場合半導体レーザの駆動電流は、半導体レーザ固有の特性である光出力を制御する制御値に該当する。そして、光ディスク装置５１において、半導体レーザ（光源１３、１４）は、液晶素子１９に対して、その位置関係が比較的近いために、半導体レーザの周囲温度は、液晶素子１９の周囲の温度を代表している。以上のことから、メモリ２９に記憶させる第２の情報として、光源（半導体レーザ）周辺の温度と半導体レーザの駆動電流との関係を予め測定して、これをテーブル化している。
【００５２】
駆動電圧取得手段３０は、例えば、所定の時間毎に半導体レーザの駆動電流を測定し、ここで得られた駆動電流により、メモリ２９に記憶される第２の情報を用いて液晶素子１９の周囲の実温度を得て、第１実施形態の場合と同様に、この実温度と第１の情報とから液晶素子１９に印加すべき駆動電圧を取得する。駆動電圧取得手段３０によって取得された駆動電圧情報は、液晶素子駆動回路３１に送られて駆動電圧の変更が行われる。
【００５３】
なお、光記録媒体１２の種類によって使用される光源が異なり、光源毎に有する特性が異なるために、各光源について温度と駆動電流の関係を得て、その情報が第２の情報として記憶されている。また、第２の情報について本実施形態ではテーブル化する構成としているが、温度と半導体レーザの駆動電流との関係が、特定の関係式で表せる場合には、その関係式を第２の情報としてメモリ２９に記憶させる構成等としても構わない。
【００５４】
以上に示した第１及び第２実施形態の光ディスク装置１においては、駆動電圧取得手段３０が得る駆動電圧は、光ディスク装置１、５１で記録再生できる全ての光記録媒体１２に対する駆動電圧情報等としても構わない。また、光ディスク装置１、５１で記録再生可能な光記録媒体１２の種類及び数もＣＤ、ＤＶＤ、ＢＤの３種類の限らず本発明の目的を逸脱しない範囲で変更可能である。例えば、複数層の記録面を有する光記録媒体１２に対応する光ディスク装置に対しても適用可能で、記録面を複数層有する光記録媒体の場合には、各層毎に第１の情報を作成する必要がある。
【００５５】
また、第１及び第２実施形態において、光ディスク装置１、５１に備えられる液晶素子１９は球面収差を補正するタイプのものであるが、本発明は球面収差を補正するタイプ以外の液晶素子に対しても適用可能であり、例えば、液晶素子がコマ収差等の波面収差の補正を行うタイプにも適用できる。また、第１及び第２実施形態においては、光ディスク装置１、５１は、記録再生可能な装置としたが、これに限定されず、例えば、再生のみを行う光ディスク装置等としても構わないのはもちろんである。
【産業上の利用可能性】
【００５６】
本発明の光ディスク装置は、波面収差の補正を行うために備えられる液晶素子の温度変動による特性変動を適切に補正できるために、光記録媒体の情報の記録再生品質を安定したものとできる。そして、液晶素子の温度変動に対する特性変動を補正するに当たって、装置内に専用の温度センサを別途設ける必要がないので、装置の製造を安価に行え、装置の構成を複雑化することもない。
【図面の簡単な説明】
【００５７】
【図１】は、第１実施形態の光ディスク装置の構成を示すブロック図である。
【図２】は、第１実施形態の光ディスク装置が備える光ピックアップ装置の光学系の概略図である。
【図３】は、第１実施形態の光ディスク装置が備える液晶素子の構成を説明するための説明図である。
【図４】は、球面収差とそれを補正するために液晶素子に発生させる位相差のパターンについて示したグラフである。
【図５】は、第１実施形態の光ディスク装置の液晶素子制御部の構成を示したブロック図である。
【図６】は、液晶素子に所定の駆動電圧を印加した場合の液晶素子に発生する位相変化と時間との関係を模式的に示した図である。
【図７】は、液晶素子の周囲温度と液晶素子の応答時間との関係を示した図である。
【図８】は、第１実施形態の液晶素子制御部による液晶素子に印加する駆動電圧の制御方法を示すフローチャートである。
【図９】は、第２実施形態の光ディスク装置の構成を示すブロック図である。
【図１０】は、半導体レーザにおける駆動電流と光出力の関係を温度毎に示した図である。
【符号の説明】
【００５８】
１、５１            光ディスク装置
３                  光ピックアップ
１２                光記録媒体
１３、１４          光源
１９                液晶素子
２２                光検出器（光検出手段）
２９                メモリ（記憶手段）
３０                駆動電圧取得手段
３１                液晶素子制御回路
【図１】
2007234157.tif 000003
【図２】
2007234157.tif 000004
【図３】
2007234157.tif 000005
【図４】
2007234157.tif 000006
【図５】
2007234157.tif 000007
【図６】
2007234157.tif 000008
【図７】
2007234157.tif 000009
【図８】
2007234157.tif 000010
【図９】
2007234157.tif 000011
【図１０】
2007234157.tif 000012